(57)【要約】【課題】大型化する出力制御部を確実に本体を構成するボトムケース内に収納し、性能向上に対応する誘導加熱調理器を提供する。【解決手段】本体１の底面、側面及び背面の外郭となるボトムケース２の上面にトッププレート３を配置し、このトッププレート３の下部に加熱コイルＡ４と加熱コイルＢ７を並べて設置し、この加熱コイルＡ４の下側に該加熱コイルＡ４、加熱コイルＢ７等を駆動する出力制御部６と加熱コイルＡ４、加熱コイルＢ７等を冷却する冷却ファン１１を収納した基板収納ケース５を設置し、加熱コイルＢ７の下側にロースター加熱部１０を設置してなる誘導加熱調理器において、前記基板収納ケース５と対向したボトムケース２の底面２ａを基板収納ケース５の底部に沿って下方に凹状に窪ませ、その中に基板収納ケース５を設置した。【選択図】  図２
2005019177.tif 000002
【特許請求の範囲】
【請求項１】
本体（１）の底面、側面及び背面の外郭となるボトムケース（２）の上面にトッププレート（３）を配置し、このトッププレート（３）の下部に加熱コイルＡ（４）と加熱コイルＢ（７）を並べて設置し、この加熱コイルＡ（４）の下側に該加熱コイルＡ（４）、加熱コイルＢ（７）等を駆動する出力制御部（６）と加熱コイルＡ（４）、加熱コイルＢ（７）等を冷却する冷却ファン（１１）を収納した基板収納ケース（５）を設置し、加熱コイルＢ（７）の下側にロースター加熱部（１０）を設置してなる誘導加熱調理器において、前記基板収納ケース（５）と対向したボトムケース（２）の底面（２ａ）を基板収納ケース（５）の底部に沿って凹状に窪ませたことを特徴とする誘導加熱調理器。
【発明の詳細な説明】
【０００１】
【発明の属する技術分野】
本発明は、加熱コイルに高周波電流を流して鍋等の金属負荷を加熱する誘導加熱調理器に関するものである。
【０００２】
【従来の技術】
誘導加熱調理器は、高周波電流を加熱用のコイルに流してその加熱用のコイルの上面に配置した金属製の鍋に渦電流を発生させ、そのジュール熱によって鍋自体が自己発熱することで、鍋を効率よく加熱するものである。
【０００３】
このため、使用時には加熱コイルはもちろん、出力制御部等も自己発熱するため、本体に内蔵された冷却ファンにより各部を冷却するようにしているが、特許文献１（特開２００２−２５０５２１号公報）に示すように、この誘導加熱調理器がオーブンレンジ内蔵のシステムキッチンに収納されている場合には、オーブンレンジを使用すると、このオーブンレンジからの輻射熱により誘導加熱調理器の本体底面が非常に高温になり、さらに誘導加熱調理器の本体内部が高温となってしまう。
【０００４】
これを回避するために、オーブンレンジとの隙間を十分に確保して輻射熱の影響を受けないようにしたり、特許文献２（特開平１１−３３９９４６号公報）に示すように、誘導加熱調理器の本体を前面に突出させて、その底面に冷却風を取り入れる開口面積の大きい排気口又は吸気口を設け、底面に冷却風を流通させることにより本体内部を冷却することが行なわれている。
【０００５】
近年、誘導加熱調理器のハイパワー化や、さらには特許文献３（特開２００３−１７２３２号公報）に示すように、非磁性鍋（例えばアルミニウム製）の加熱を可能とした誘導加熱調理器が発売され、このような性能向上に伴い出力制御部が複雑で、かつ容積が大きくなり、従来の基板収納ケース構造又は本体のボトムケース構造では、オーブンレンジの輻射熱の影響を防ぎ、かつ、限られたスペースでの誘導加熱調理器の収納が困難となってきている。
【０００６】
さらに、今後も非磁性鍋の加熱を可能とした性能の向上が見込まれており、これに伴って出力制御部の基板の小型化が図られていくとしても、限られたスペースの本体内に複雑で、かつ容積の大きい出力制御部のスペースを確保することが益々難しい状況となりつつある。
【０００７】
【特許文献１】
特開２００２−２５０５２１号公報
【特許文献２】
特開平１１−３３９９４６号公報
【特許文献３】
特開２００３−１７２３２号公報
【０００８】
【発明が解決しようとする課題】
上記したように、特許文献１、２及び３に示すような従来構造では、非磁性鍋の加熱を可能とした誘導加熱調理器等、性能の向上に伴って大型化する出力制御部のスペースを十分に確保できないため、この出力制御部を確実に製品本体内に収納し、さらにオーブンレンジからの輻射熱の影響を受けないようにすることが難しいという課題がある。
【０００９】
【課題を解決するための手段】
本発明は上述の課題を解決するためになされたもので、具体的には、本体の底面、側面及び背面の外郭となるボトムケースの上面にトッププレートを配置し、このトッププレートの下部に加熱コイルＡと加熱コイルＢを並べて設置し、この加熱コイルＡの下側に該加熱コイルＡ、加熱コイルＢ等を駆動する出力制御部と加熱コイルＡ、加熱コイルＢ等を冷却する冷却ファンを収納した基板収納ケースを設置し、加熱コイルＢの下側にロースター加熱部を設置してなる誘導加熱調理器において、前記基板収納ケースと対向したボトムケースの底面を基板収納ケースの底部に沿って凹状に窪ませたものである。
【００１０】
これによって、大型化した出力制御部を本体内に効率よく収納し、さらにシステムキッチンに組み込んでもオーブンレンジ等からの輻射熱の影響を受けないようにすることができる。
【００１１】
【発明の実施の形態】
以下、本発明の一実施例を図面に沿って説明する。
【００１２】
図１は本発明の誘導加熱調理器の一部を分解した斜視図、図２は同横断面図、図３は同正面から見た構造概略図、図４は同オーブンレンジ組み込みタイプのシステムキッチンに組み込んだ状態の斜視図である。
【００１３】
まず、図１において、１は誘導加熱調理器の本体、２はボトムケースで、本体１の底面、側面及び背面の外郭を形成するものであり、上面が開口している。３はトッププレートで、耐熱性が高い結晶化ガラスで構成されており、ボトムケース２の上面開口部を塞ぐように配置されている。３ａはトッププレートカバー枠で、トッププレート３の周りに取り付けられており、トッププレート３との間にシール材（図示せず）を充填して水密構造としている。
【００１４】
また、このトッププレートカバー枠３ａは本体１にも固定されており、図４に示すように本体１をシステムキッチン１３に据付ける際には、このトッププレートカバー枠３ａで本体１を吊り上げた状態で設置される。
【００１５】
４は非磁性金属であるアルミニウム鍋を連続加熱できる加熱コイルＡ、７は鉄や磁性ステンレス等の磁性金属の鍋を加熱する加熱コイルＢで、トッププレート３の下側に位置するように本体１内の右側と左側に並べて設置されている。
【００１６】
８は円形のニクロム線ヒータで、トッププレート３のほぼ中央後部の下側に位置するように本体１内の上部に配置されている。
【００１７】
９は操作部で、本体１の前面右側に配置されており、後記する出力制御部６と連動しており、メインスイッチ及び加熱コイルＡ４、加熱コイルＢ７、ニクロム線ヒータ８、本体１の左側面に配置された後記ロースター加熱部１０への通電入り切り、設定、火力調整を行なうスイッチやツマミ類で構成されている。
【００１８】
１０はロースター加熱部で、加熱コイルＢ７の下側に位置しており、本体１の前面右側から本体１内に魚等を出し入れする。
【００１９】
１２は冷却風洞で、加熱コイルＡ４の下側に設置されており、その上面に多数の送風口１２ａを備えており、後記する冷却ファン１１からの冷却風を加熱コイルＡ４とＢ７へ吹き付けるものである。
【００２０】
１５は加熱コイルＡ４の右表示部、１６は加熱コイルＢ７の左表示部、１７はニクロム線ヒータ８の中央表示部であり、夫々加熱コイルＡ４、加熱コイルＢ７及びニクロム線ヒータ８と対向するようにトッププレート３の前部に設けられており、夫々の運転状態又は運転するための設定状態（火力、タイマーの設定状態、揚げ物調理時の油温等）を数値、文字、図形等により表示するものである。
【００２１】
１８、１９は本体１の後部上面の右側と左側に開口した吸気口及び排気口である。
【００２２】
図２、図３及び図４において、５は基板収納ケースで、加熱コイルＡ４の下側と対向したボトムケース２の右側底面２ａを基板収納ケース５の下部形状に沿うように下向きに凹状に窪ませ、その中に設置している。そして、この基板収納ケース５の中には吸気口１８に近い側の空間内に冷却ファン１１、加熱コイルＡ４の下側に位置した空間内に複数の出力制御部６ａ、６ｂ、６ｃよりなる出力制御部６が上下方向に並べて設置されている。
【００２３】
また、前記冷却ファン１１はモータ１１ａの上下に同軸の駆動軸を突出させてその上下に回転ファン１１ｂ、１１ｃを連結し、一方の回転ファン１１ｂによって吸気口１８から吸い込んだ冷却空気を図１に示す冷却風洞１２を通してその送風口１２ａから加熱コイルＡ４及び加熱コイルＢ７の下面に流入させ、該加熱コイルＡ４及び加熱コイルＢ７を冷却するとともに、他方の回転ファン１１ｃによって吸い込んだ冷却空気を複数の出力制御部６ａ、６ｂ、６ｃに流入させ、該出力制御部６ａ、６ｂ、６ｃを冷却するようにしている。
【００２４】
１４はリード線等の接続部材で、上段の出力制御部６ａと左加熱コイルＢ７を接続し、中段及び下段の出力制御部６ｂ、６ｃと右加熱コイルＡ４を接続している。
【００２５】
１３はシステムキッチンで、上部に誘導加熱調理器の本体１が設置され、下部にオーブンレンジ２０が設置されており、両者は仕切り板１３ａで仕切られている。
【００２６】
本発明は以上の構成よりなり、加熱コイルＡ４、加熱コイルＢ７を使用して加熱調理する場合には、トッププレート３上の夫々の位置に調理鍋（図示せず）を載置して操作部９を操作すると、加熱コイルＡ４又は加熱コイルＢ７に高周波電流が流れ、調理鍋に渦電流が発生してそのジュール熱によって調理鍋が自己発熱し、調理鍋を加熱する。
【００２７】
一方、この加熱調理時には加熱コイルＡ４又は加熱コイルＢ７及びこれらを制御する出力制御部６ａ、６ｂ、６ｃが高温になるため、冷却ファン１１が動作し、一方の回転ファン１１ｂによって吸気口１８から吸い込んだ冷却空気を冷却風洞１２を通してその送風口１２ａから加熱コイルＡ４及び加熱コイルＢ７の下面に流入させ、該加熱コイルＡ４及び加熱コイルＢ７を冷却するとともに、他方の回転ファン１１ｃによって吸い込んだ冷却空気を複数の出力制御部６ａ、６ｂ、６ｃに流入させ、該出力制御部６ａ、６ｂ、６ｃを冷却する。
【００２８】
このとき、加熱コイルＡ４は非磁性金属のアルミニウム鍋を加熱できるようになっているため、出力制御部６ａ、６ｂ、６ｃは複雑で、容積も大型化し、それに伴い、これらを収納する基板収納ケース５も大きくなっており、基板収納ケース５をボトムケース２内に設置することが難しくなっている。これに対応するため、従来はボトムケース２の底面全体を下に下げて設置スペースを確保し、システムキッチン１３の仕切り板１３ａとの隙間１６を狭くすることが行なわれていた。
【００２９】
しかし、これでは、オーブンレンジ２０を使用すると、このオーブンレンジ２０からの輻射熱により本体１の底面が非常に高温になり、さらに本体１の内部が高温となってしまう。
【００３０】
そこで、本発明では上記したように基板収納ケース５内に加熱コイルＡ４、加熱コイルＢ７等を駆動する出力制御部６ａ、６ｂ、６ｃと、この加熱コイルＡ４、加熱コイルＢ７を冷却する回転ファン１１ａ、出力制御部６ａ、６ｂ、６ｃを冷却する回転ファン１１ｃ及びこれらを駆動するモータ１１ａよりなる冷却ファン１１を収納し、この基板収納ケース５をボトムケース２内に設置するに際して、基板収納ケース５と対向するボトムケース２の底面２ａを基板収納ケース５の底部に沿って下方に凹状に窪ませ、その中に基板収納ケース５を設置したものである。
【００３１】
これによって、ボトムケース２の凹状部の分だけ基板収納ケース５の設置スペースを広くすることができ、また、出力制御部６ａ、６ｂ、６ｃを冷却する回転ファン１１ｃの上下方向の高さも高くすることができ、その分、風量も増大するため、冷却能力は従来に比べて高くなるものである。
【００３２】
また、ロースター加熱部１０と対向したボトムケース２の底面２ｂは十分にスペースを確保することができ、ロースター加熱部１０、オーブンレンジ２０は共に双方の熱の影響を受けないものである。
【００３３】
【発明の効果】
以上説明したように、本発明によれば、本体の底面、側面及び背面の外郭となるボトムケースの上面にトッププレートを配置し、このトッププレートの下部に加熱コイルＡと加熱コイルＢを並べて設置し、この加熱コイルＡの下側に該加熱コイルＡ、加熱コイルＢ等を駆動する出力制御部と加熱コイルＡ、加熱コイルＢ等を冷却する冷却ファンを収納した基板収納ケースを設置し、加熱コイルＢの下側にロースター加熱部を設置してなる誘導加熱調理器において、前記基板収納ケースと対向したボトムケースの底面を基板収納ケースの底部に沿って凹状に窪ませたものである。
【００３４】
これによって、基板収納ケースの設置スペースが広くすることが可能となるため、非磁性鍋の加熱性能向上等によって大型化する出力制御部を本体内に効率よく収納することができる。
【００３５】
また、ボトムケースの底面を基板収納ケースの底部に沿って凹状に窪ませても基板収納ケースの中に収納される冷却ファンの風量を増大して基板収納ケース内を十分に冷却することができるため、オーブンレンジからの輻射熱の影響を受けないようにすることでき、製品の性能向上に対応することができるものである。
【図面の簡単な説明】
【図１】本発明の誘導加熱調理器の一部を分解した斜視図である。
【図２】本発明の誘導加熱調理器の横断面図である。
【図３】本発明の誘導加熱調理器を正面から見た構造概略図である。
【図４】本発明の誘導加熱調理器をシステムキッチンに組み込んだ状態の外観斜視図である。
【符号の説明】
１      本体
２      ボトムケース
２ｂ    底面
３      トッププレート
４      加熱コイルＡ
５      基板収納ケース
６      出力制御部
７      加熱コイルＢ
１１      冷却ファン
１３      システムキッチン
２０      オーブンレンジ
【図１】
2005019177.tif 000003
【図２】
2005019177.tif 000004
【図３】
2005019177.tif 000005
【図４】
2005019177.tif 000006